【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
流体サンプリングデバイスであって、
チャネルであって、該チャネルを通る流体の通過を可能にするためのチャネルと、
該チャネル内の流体の流れを維持するための流量制御器と、
捕集媒体に向けて該流体の流れの方向を変化させるための流動方向制御器と
を備え、
該流量制御器は、該捕集媒体上にサンプルとしての該流体の一部を送達する、
デバイス。
【請求項２】
前記チャネルは、カテーテル管等の可撓性管および前記デバイスの筐体内の通路から選択される、請求項１に記載のデバイス。
【請求項３】
前記チャネルは、流入チャネルと、流出チャネルと、該流入チャネルと該流出チャネルとの間に位置付けられるチャネル部とを含む、請求項１または２のうちのいずれかに記載のデバイス。
【請求項４】
前記流入チャネルは、曲線／直線管部分を備え、該曲線／直線管部分は、前記チャネル内の前記流体の流れを維持する前記流量制御器と相互作用する、請求項１〜請求項３のうちのいずれかに記載のデバイス。
【請求項５】
前記流量制御器は、蠕動ポンプ等のポンプを備えている、請求項１〜請求項４のうちのいずれかに記載のデバイス。
【請求項６】
前記流動方向制御器は、作動手段によって制御される前記チャネル部を備え、該作動手段が少なくとも２つの位置に該チャネル部を位置付けるように適合されることにより、第１の位置において、該チャネル部は、該チャネル内に流体流れの閉ループを形成し、第２の位置において、該チャネル部は、前記捕集媒体に対面して、該捕集媒体上へのサンプルとしての前記流体の一部の送達を可能にする、請求項１〜請求項５のうちのいずれかに記載のデバイス。
【請求項７】
前記流動方向制御器は、作動手段によって制御される前記チャネル部を備え、該作動手段が少なくとも２つの位置に該チャネル部を位置付けるように適合されることにより、第１の位置において、該チャネル部は、該チャネル内に流体流れの開ループを形成し、第２の位置において、該チャネル部は、前記捕集媒体に対面して、該捕集媒体上へのサンプルとしての前記流体の一部の送達を可能にする、請求項１〜６のうちのいずれかに記載のデバイス。
【請求項８】
前記流動方向制御器は、
円筒状回転部材と、
求心部とスリットと遠心部とを有する可撓性導管と
を備え、
該遠心部は、該回転部材の溝の中を接線方向に通過し、該求心部および遠心部は、該部材からある距離を置いて前記筐体に固定されることにより、該回転部材の４５度から１８０度の回転を可能にし、該筐体が該部材の１つの位置にある場合に、該遠心導管は、該スリットにおいて該導管が該スリットを開くよう曲げられる一方で、該筐体に押し付けられ、ニックを作成して該遠心流れを閉鎖し、別の位置における該部材は、該遠心導管の該ニックを真っ直ぐにして、該スリットとともに該求心導管を反対方向に曲げて、該スリットを閉鎖させる、請求項１〜請求項７のうちのいずれかに記載のデバイス。
【請求項９】
前記流量制御器は、前記チャネル内の流れを維持するために、および前記チャネル部が前記第２の位置にあるときに前記捕集媒体上に該チャネル部の流出端部から前記流体の一部を送達するために、前記流入チャネルの前記曲線／直線管部分を圧迫する、請求項１〜請求項８のうちのいずれかに記載のデバイス。
【請求項１０】
前記流入チャネルは、対象から前記流体を受け取り、
前記チャネル部は、該チャネル部が前記第２の位置にあるときに、前記捕集媒体上へのサンプルとしての前記流体の一部の送達を可能にし、
前記流出チャネルは、該チャネル部が前記第１の位置にあるときに、該流体を該対象に戻すことによって前記閉ループを形成するか、または開ループを形成する、
請求項１〜請求項９のうちのいずれかに記載のデバイス。
【請求項１１】
前記チャネル部は、流入端部と流出端部とを備え、
該流入端部は、前記第１の位置および前記第２の位置の両方において、前記流入チャネルから前記流体を受け取り、
該流出端部は、該チャネル部が該第２の位置にあるときに、前記捕集媒体上へのサンプルの送達を可能にし、該チャネル部が該第１の位置にあるときに、前記流出チャネルを通して前記対象に該流体を戻すことによって前記閉ループを形成するか、または開ループを形成する、
請求項１〜請求項１０のうちのいずれかに記載のデバイス。
【請求項１２】
前記作動手段は、手動機構および自動機構から選択され、該機構は、２つのサンプルの送達の間の時間差等の所定のパラメータに基づいて、前記チャネル部の位置決めを制御するように適合されている、請求項１〜請求項１１のうちのいずれかに記載のデバイス。
【請求項１３】
前記捕集媒体は、吸収性材料で構成され、該捕集媒体上の各サンプル用のロール、テープ、紐、ディスク、およびポケットから成る群より選択される、請求項１〜請求項１２のうちのいずれかに記載のデバイス。
【請求項１４】
前記捕集媒体は、未使用の捕集媒体と使用済みの捕集媒体とを備え、該使用済みの捕集媒体は、サンプルを含有する該捕集媒体を備えている、請求項１〜請求項１３のうちのいずれかに記載のデバイス。
【請求項１５】
前記未使用の捕集媒体は、未使用ボビンに巻き取られ、前記使用済みの捕集媒体は、使用済みボビンに巻き取られ、
該使用済みボビンは、該捕集媒体が該未使用ボビンから解け、該使用済みの捕集媒体が該使用済みボビンに巻き付くように、該使用済みボビンを回転させる駆動手段に接続されている、
請求項１〜請求項１４のうちのいずれかに記載のデバイス。
【請求項１６】
前記未使用の捕集媒体は、前記未使用ボビンから解け、
該解かれた捕集媒体は、前記チャネル部の前記流出端部を横断させられて、該流出端部に曝露され、該曝露された未使用の捕集媒体上にサンプルを収集し、
該使用済みの捕集媒体は、前記使用済みボビンに巻き付く、
請求項１〜請求項１５のうちのいずれかに記載のデバイス。
【請求項１７】
前記使用済みボビンは、前記未使用ボビン内に封入される、請求項１〜請求項１６のうちのいずれかに記載のデバイス。
【請求項１８】
前記未使用ボビンは、前記使用済みボビン内に封入される、請求項１〜請求項１７のうちのいずれかに記載のデバイス。
【請求項１９】
前記未使用ボビンおよび前記使用済みボビンは、一方のボビンがもう一方によって封入されることなく位置付けられる、請求項１〜請求項１８のうちのいずれかに記載のデバイス。
【請求項２０】
前記捕集媒体は、ディスクを含み、該ディスクは、サンプルを収集するための収集表面領域を備え、該ディスクは、モータに連結され、該モータは、各作動とともに、該ディスクが、前記チャネル部の前記流出端部に未使用のディスク領域を曝露するような方法で、次第に該ディスクを回転させる、請求項１〜請求項１９のうちのいずれかに記載のデバイス。
【請求項２１】
前記捕集媒体上のサンプル領域を照射するための照射手段であって、該サンプル領域は、サンプルが沈着する該捕集媒体の領域によって規定される、手段と、
前記サンプル領域からの信号を検出するための検出器と、
該検出器と連結されるプロセッサであって、該信号を処理し、該サンプルと関連するサンプル量等の特性を判定するプロセッサと
をさらに備える、請求項１〜請求項２０のうちのいずれかに記載のデバイス。
【請求項２２】
未使用ボビンであって、該未使用ボビンに巻き取られる未使用の捕集媒体を備えている未使用ボビンと、
回転するように適合されている使用済みボビンであって、該使用済みボビンに巻き取られる使用済みの捕集媒体を備えている使用済みボビンと
を備え、
該未使用の捕集媒体は、該未使用ボビンから解け、サンプルを収集し、使用済みボビンに向かって移動する間に該使用済みの捕集媒体を規定し、
流動方向制御器が、該使用済みの捕集媒体を該未使用ボビンから該使用済みボビンへとそらすように適合され、
該使用済みボビンが該未使用ボビン内に封入されるか、該未使用ボビンが該使用済みボビン内に封入される、
小型サンプル記録媒体。
【請求項２３】
前記デバイスは、前記チャネルと、前記流動方向制御器と、前記曲線／直線管部分とを含むカセットを備えている、請求項１〜請求項２２のうちのいずれかに記載のデバイス。
【請求項２４】
前記デバイスは、前記チャネルと、前記流動方向制御器と、前記曲線／直線管部分と、前記捕集媒体と、前記未使用ボビンと、前記使用済みボビンとを含むカセットを備えている、請求項１〜請求項２３のうちのいずれかに記載のデバイス。
【請求項２５】
前記カセットは、前記流量制御器をさらに備えている、請求項１〜請求項２４のうちのいずれかに記載のデバイス。
【請求項２６】
前記カセットは、密閉可能、殺菌可能、および使い捨てである、請求項１〜請求項２５のうちのいずれかに記載のデバイス。
【請求項２７】
前記サンプルの汚染を防止するために、前記サンプル領域上に試薬／保護層を提供する分離膜コイルをさらに備えている、請求項１〜請求項２６のうちのいずれかに記載のデバイス。
【請求項２８】
ヒトを除く動物からの流体をサンプリングする方法であって、
該流体をチャネルに通すことと、
流体制御器を使用して、該チャネル内の該流体の流れを維持することと、
捕集媒体に向けて該流体の流れの方向を変化させることと、
該流体制御器を使用して、該捕集媒体上にサンプルとしての該流体の一部を送達することと
を含む、方法。
【請求項２９】
前記チャネルは、流入チャネルと、流出チャネルと、該流入チャネルと該流出チャネルとの間に位置付けられるチャネル部とを含む、請求項２８に記載の方法。
【請求項３０】
少なくとも２つの位置における前記流動方向制御器を用いて、前記チャネル部の位置を制御することをさらに含み、第１の位置において、該チャネル部は、前記チャネル内に流体流れの閉ループを形成し、第２の位置において、該チャネル部は、前記捕集媒体に対面して、該捕集媒体上へのサンプルとしての前記流体の一部の送達を可能にする、請求項２８〜２９のうちのいずれかに記載の方法。
【請求項３１】
少なくとも２つの位置における前記流動方向制御器を用いて、前記チャネル部の位置を制御することをさらに含み、第１の位置において、該チャネル部は、前記チャネル内に流体流れの開ループを形成し、第２の位置において、該チャネル部は、前記捕集媒体に対面して、該捕集媒体上へのサンプルとしての前記流体の一部の送達を可能にする、請求項２８〜２９のうちのいずれかに記載の方法。
【請求項３２】
少なくとも２つの位置における前記流動方向制御器を用いて、前記チャネル部の位置を制御することをさらに含み、第１の位置において、該チャネル部は、前記チャネル内に流体流れの開ループを形成し、第２の位置において、該チャネル部は、前記捕集媒体に対面して、該捕集媒体上へのサンプルとしての前記流体の一部の送達を可能にする、請求項２８〜３１のうちのいずれかに記載の方法。
【請求項３３】
前記チャネル内の前記流れを維持するために、および前記チャネル部が前記第２の位置にあるときに該チャネル部の流出端部から前記捕集媒体上へ流体の一部を送達するために、前記流量制御器を使用して、前記流入チャネルの曲線／直線管部分を圧迫することをさらに含む、請求項２８〜３２のうちのいずれかに記載の方法。
【請求項３４】
前記捕集媒体は、未使用の捕集媒体と使用済みの捕集媒体とを備え、該使用済みの捕集媒体は、サンプルを含有する該捕集媒体を備えている、請求項２８〜３３のうちのいずれかに記載の方法。
【請求項３５】
前記捕集媒体が、未使用の捕集媒体を有する未使用ボビンから解け、使用済みの捕集媒体が、使用済みボビンに巻き付くように、駆動手段を使用して、該使用済みボビンを回転させることをさらに含む、請求項２８〜３４のうちのいずれかに記載の方法。
【請求項３６】
前記未使用ボビンから未使用の捕集媒体を解くことと、
該未使用の捕集媒体を横断させて前記チャネル部に曝露し、該曝露された未使用の捕集媒体上でサンプルを収集することと、
該使用済みの捕集媒体を前記使用済みボビンに巻き取ることと
をさらに含む、請求項２８〜３５のうちのいずれかに記載の方法。
【請求項３７】
照射手段を使用して、前記捕集媒体上のサンプル領域を照射することであって、該サンプル領域は、サンプルが沈着される該捕集媒体の領域によって規定される、ことと、
検出器を使用して、該サンプル領域から信号を検出することと、
該検出器と連結されるプロセッサを使用して、該信号を処理することであって、該プロセッサは、該サンプルに関連するサンプル量等の特性を判定する、ことと
をさらに含む、請求項２８〜３６のうちのいずれかに記載の方法。
【手続補正２】
【補正対象書類名】明細書
【補正対象項目名】０００９
【補正方法】変更
【補正の内容】
【０００９】
本発明の別の実施形態に従って、本発明は、体液をサンプリングするための方法を開示する。方法は、チャネルを通して流体を通過させること、流体制御器を使用して、チャネル内で流体の流れを維持すること、捕集媒体に向かって流体の流れの方向を変化させること、および流体制御器を使用して、捕集媒体上にサンプルとしての流体の一部を送達することを含む。
本発明は、例えば、以下の項目も提供する。
（項目１）
流体サンプリングデバイスであって、
チャネルであって、該チャネルを通る流体の通過を可能にするためのチャネルと、
該チャネル内の流体の流れを維持するための流量制御器と、
捕集媒体に向けて該流体の流れの方向を変化させるための流動方向制御器と
を備え、
該流量制御器は、該捕集媒体上にサンプルとしての該流体の一部を送達する、
デバイス。
（項目２）
前記チャネルは、カテーテル管等の可撓性管および前記デバイスの筐体内の通路から選択される、項目１に記載のデバイス。
（項目３）
前記チャネルは、流入チャネルと、流出チャネルと、該流入チャネルと該流出チャネルとの間に位置付けられるチャネル部とを含む、項目１または２のうちのいずれかに記載のデバイス。
（項目４）
前記流入チャネルは、曲線／直線管部分を備え、該曲線／直線管部分は、前記チャネル内の前記流体の流れを維持する前記流量制御器と相互作用する、項目１〜項目３のうちのいずれかに記載のデバイス。
（項目５）
前記流量制御器は、蠕動ポンプ等のポンプを備えている、項目１〜項目４のうちのいずれかに記載のデバイス。
（項目６）
前記流動方向制御器は、作動手段によって制御される前記チャネル部を備え、該作動手段が少なくとも２つの位置に該チャネル部を位置付けるように適合されることにより、第１の位置において、該チャネル部は、該チャネル内に流体流れの閉ループを形成し、第２の位置において、該チャネル部は、前記捕集媒体に対面して、該捕集媒体上へのサンプルとしての前記流体の一部の送達を可能にする、項目１〜項目５のうちのいずれかに記載のデバイス。
（項目７）
前記流動方向制御器は、作動手段によって制御される前記チャネル部を備え、該作動手段が少なくとも２つの位置に該チャネル部を位置付けるように適合されることにより、第１の位置において、該チャネル部は、該チャネル内に流体流れの開ループを形成し、第２の位置において、該チャネル部は、前記捕集媒体に対面して、該捕集媒体上へのサンプルとしての前記流体の一部の送達を可能にする、項目１〜６のうちのいずれかに記載のデバイス。
（項目８）
前記流動方向制御器は、
円筒状回転部材と、
求心部とスリットと遠心部とを有する可撓性導管と
を備え、
該遠心部は、該回転部材の溝の中を接線方向に通過し、該求心部および遠心部は、該部材からある距離を置いて前記筐体に固定されることにより、該回転部材の４５度から１８０度の回転を可能にし、該筐体が該部材の１つの位置にある場合に、該遠心導管は、該スリットにおいて該導管が該スリットを開くよう曲げられる一方で、該筐体に押し付けられ、ニックを作成して該遠心流れを閉鎖し、別の位置における該部材は、該遠心導管の該ニックを真っ直ぐにして、該スリットとともに該求心導管を反対方向に曲げて、該スリットを閉鎖させる、項目１〜項目７のうちのいずれかに記載のデバイス。
（項目９）
前記流量制御器は、前記チャネル内の流れを維持するために、および前記チャネル部が前記第２の位置にあるときに前記捕集媒体上に該チャネル部の流出端部から前記流体の一部を送達するために、前記流入チャネルの前記曲線／直線管部分を圧迫する、項目１〜項目８のうちのいずれかに記載のデバイス。
（項目１０）
前記流入チャネルは、対象から前記流体を受け取り、
前記チャネル部は、該チャネル部が前記第２の位置にあるときに、前記捕集媒体上へのサンプルとしての前記流体の一部の送達を可能にし、
前記流出チャネルは、該チャネル部が前記第１の位置にあるときに、該流体を該対象に戻すことによって前記閉ループを形成するか、または開ループを形成する、
項目１〜項目９のうちのいずれかに記載のデバイス。
（項目１１）
前記チャネル部は、流入端部と流出端部とを備え、
該流入端部は、前記第１の位置および前記第２の位置の両方において、前記流入チャネルから前記流体を受け取り、
該流出端部は、該チャネル部が該第２の位置にあるときに、前記捕集媒体上へのサンプルの送達を可能にし、該チャネル部が該第１の位置にあるときに、前記流出チャネルを通して前記対象に該流体を戻すことによって前記閉ループを形成するか、または開ループを形成する、
項目１〜項目１０のうちのいずれかに記載のデバイス。
（項目１２）
前記作動手段は、手動機構および自動機構から選択され、該機構は、２つのサンプルの送達の間の時間差等の所定のパラメータに基づいて、前記チャネル部の位置決めを制御するように適合されている、項目１〜項目１１のうちのいずれかに記載のデバイス。
（項目１３）
前記捕集媒体は、吸収性材料で構成され、該捕集媒体上の各サンプル用のロール、テープ、紐、ディスク、およびポケットから成る群より選択される、項目１〜項目１２のうちのいずれかに記載のデバイス。
（項目１４）
前記捕集媒体は、未使用の捕集媒体と使用済みの捕集媒体とを備え、該使用済みの捕集媒体は、サンプルを含有する該捕集媒体を備えている、項目１〜項目１３のうちのいずれかに記載のデバイス。
（項目１５）
前記未使用の捕集媒体は、未使用ボビンに巻き取られ、前記使用済みの捕集媒体は、使用済みボビンに巻き取られ、
該使用済みボビンは、該捕集媒体が該未使用ボビンから解け、該使用済みの捕集媒体が該使用済みボビンに巻き付くように、該使用済みボビンを回転させる駆動手段に接続されている、
項目１〜項目１４のうちのいずれかに記載のデバイス。
（項目１６）
前記未使用の捕集媒体は、前記未使用ボビンから解け、
該解かれた捕集媒体は、前記チャネル部の前記流出端部を横断させられて、該流出端部に曝露され、該曝露された未使用の捕集媒体上にサンプルを収集し、
該使用済みの捕集媒体は、前記使用済みボビンに巻き付く、
項目１〜項目１５のうちのいずれかに記載のデバイス。
（項目１７）
前記使用済みボビンは、前記未使用ボビン内に封入される、項目１〜項目１６のうちのいずれかに記載のデバイス。
（項目１８）
前記未使用ボビンは、前記使用済みボビン内に封入される、項目１〜項目１７のうちのいずれかに記載のデバイス。
（項目１９）
前記未使用ボビンおよび前記使用済みボビンは、一方のボビンがもう一方によって封入されることなく位置付けられる、項目１〜項目１８のうちのいずれかに記載のデバイス。
（項目２０）
前記捕集媒体は、ディスクを含み、該ディスクは、サンプルを収集するための収集表面領域を備え、該ディスクは、モータに連結され、該モータは、各作動とともに、該ディスクが、前記チャネル部の前記流出端部に未使用のディスク領域を曝露するような方法で、次第に該ディスクを回転させる、項目１〜項目１９のうちのいずれかに記載のデバイス。
（項目２１）
前記捕集媒体上のサンプル領域を照射するための照射手段であって、該サンプル領域は、サンプルが沈着する該捕集媒体の領域によって規定される、手段と、
前記サンプル領域からの信号を検出するための検出器と、
該検出器と連結されるプロセッサであって、該信号を処理し、該サンプルと関連するサンプル量等の特性を判定するプロセッサと
をさらに備える、項目１〜項目２０のうちのいずれかに記載のデバイス。
（項目２２）
未使用ボビンであって、該未使用ボビンに巻き取られる未使用の捕集媒体を備えている未使用ボビンと、
回転するように適合されている使用済みボビンであって、該使用済みボビンに巻き取られる使用済みの捕集媒体を備えている使用済みボビンと
を備え、
該未使用の捕集媒体は、該未使用ボビンから解け、サンプルを収集し、使用済みボビンに向かって移動する間に該使用済みの捕集媒体を規定し、
該使用済みボビンが該未使用ボビン内に封入されるか、該未使用ボビンが該使用済みボビン内に封入される、
小型サンプル記録媒体。
（項目２３）
前記デバイスは、前記チャネルと、前記流動方向制御器と、前記曲線／直線管部分とを含むカセットを備えている、項目１〜項目２２のうちのいずれかに記載のデバイス。
（項目２４）
前記デバイスは、前記チャネルと、前記流動方向制御器と、前記曲線／直線管部分と、前記捕集媒体と、前記未使用ボビンと、前記使用済みボビンとを含むカセットを備えている、項目１〜項目２３のうちのいずれかに記載のデバイス。
（項目２５）
前記カセットは、前記流量制御器をさらに備えている、項目１〜項目２４のうちのいずれかに記載のデバイス。
（項目２６）
前記カセットは、密閉可能、殺菌可能、および使い捨てである、項目１〜項目２５のうちのいずれかに記載のデバイス。
（項目２７）
前記サンプルの汚染を防止するために、前記サンプル領域上に試薬／保護層を提供する分離膜コイルをさらに備えている、項目１〜項目２６のうちのいずれかに記載のデバイス。
（項目２８）
流体をサンプリングする方法であって、
該流体をチャネルに通すことと、
流体制御器を使用して、該チャネル内の該流体の流れを維持することと、
捕集媒体に向けて該流体の流れの方向を変化させることと、
該流体制御器を使用して、該捕集媒体上にサンプルとしての該流体の一部を送達することと
を含む、方法。
（項目２９）
前記チャネルは、流入チャネルと、流出チャネルと、該流入チャネルと該流出チャネルとの間に位置付けられるチャネル部とを含む、項目２８に記載の方法。
（項目３０）
少なくとも２つの位置における前記流動方向制御器を用いて、前記チャネル部の位置を制御することをさらに含み、第１の位置において、該チャネル部は、前記チャネル内に流体流れの閉ループを形成し、第２の位置において、該チャネル部は、前記捕集媒体に対面して、該捕集媒体上へのサンプルとしての前記流体の一部の送達を可能にする、項目２８〜２９のうちのいずれかに記載の方法。
（項目３１）
少なくとも２つの位置における前記流動方向制御器を用いて、前記チャネル部の位置を制御することをさらに含み、第１の位置において、該チャネル部は、前記チャネル内に流体流れの開ループを形成し、第２の位置において、該チャネル部は、前記捕集媒体に対面して、該捕集媒体上へのサンプルとしての前記流体の一部の送達を可能にする、項目２８〜２９のうちのいずれかに記載の方法。
（項目３２）
少なくとも２つの位置における前記流動方向制御器を用いて、前記チャネル部の位置を制御することをさらに含み、第１の位置において、該チャネル部は、前記チャネル内に流体流れの開ループを形成し、第２の位置において、該チャネル部は、前記捕集媒体に対面して、該捕集媒体上へのサンプルとしての前記流体の一部の送達を可能にする、項目２８〜３１のうちのいずれかに記載の方法。
（項目３３）
前記チャネル内の前記流れを維持するために、および前記チャネル部が前記第２の位置にあるときに該チャネル部の流出端部から前記捕集媒体上へ流体の一部を送達するために、前記流量制御器を使用して、前記流入チャネルの曲線／直線管部分を圧迫することをさらに含む、項目２８〜３２のうちのいずれかに記載の方法。
（項目３４）
前記捕集媒体は、未使用の捕集媒体と使用済みの捕集媒体とを備え、該使用済みの捕集媒体は、サンプルを含有する該捕集媒体を備えている、項目２８〜３３のうちのいずれかに記載の方法。
（項目３５）
前記捕集媒体が、未使用の捕集媒体を有する未使用ボビンから解け、使用済みの捕集媒体が、使用済みボビンに巻き付くように、駆動手段を使用して、該使用済みボビンを回転させることをさらに含む、項目２８〜３４のうちのいずれかに記載の方法。
（項目３６）
前記未使用ボビンから未使用の捕集媒体を解くことと、
該未使用の捕集媒体を横断させて前記チャネル部に曝露し、該曝露された未使用の捕集媒体上でサンプルを収集することと、
該使用済みの捕集媒体を前記使用済みボビンに巻き取ることと
をさらに含む、項目２８〜３５のうちのいずれかに記載の方法。
（項目３７）
照射手段を使用して、前記捕集媒体上のサンプル領域を照射することであって、該サンプル領域は、サンプルが沈着される該捕集媒体の領域によって規定される、ことと、
検出器を使用して、該サンプル領域から信号を検出することと、
該検出器と連結されるプロセッサを使用して、該信号を処理することであって、該プロセッサは、該サンプルに関連するサンプル量等の特性を判定する、ことと
をさらに含む、項目２８〜３６のうちのいずれかに記載の方法。